(57)【要約】      （修正有）【課題】レンズ鏡筒を大型化することなく、ＶＣＭの駆動力を大きくすることができるレンズ鏡筒を提供する。【解決手段】交換レンズ１００は、光軸と平行な第１平行部２２ａと第１平行部２２ａよりも大きい第２平行部２２ｂを磁気的に結合した第１ヨーク２２と、第１平行部２２ａに配置された第２ヨーク２６と、第１平行部２２ａに配置された磁石２４と、第２平行部に巻回されたコイル２１と、コイル２１を保持して光軸方向へ駆動されるレンズ保持枠１１と、第１ヨーク２２及び第２ヨーク２６、磁石２４、コイル２１及びレンズ保持枠１１が格納された固定枠２と、を具備する。第２ヨーク２６は、第１平行部２２ａと固定枠２との間に配置され、光軸と垂直な断面における、第１ヨーク２２の第１平行部２２ａの断面積と第２ヨーク２６の断面積との和と、第２平行部２２ｂの断面積と、が等しい。【選択図】図３
2019086629.tif 000002
【特許請求の範囲】
【請求項１】
光軸方向の断面において光軸と平行な第１平行部と、上記第１平行部よりも光軸寄りに位置し上記第１平行部と平行で上記光軸と垂直な断面において光軸を原点とするＸＹ平面とした際にＸ軸方向の断面寸法が上記第１平行部よりも大きい第２平行部と、を有し、当該第１平行部と当該第２平行部とが磁気的に結合された第１ヨークと、
上記ＸＹ平面のＹ軸方向において上記第１平行部に配置された第２ヨークと、
上記第１ヨークの第１平行部または第２平行部の一方に配置された磁石と、
上記第１ヨークの第１平行部または第２平行部の他方に配置されたコイルと、
上記磁石または上記コイルの一方に固定され、固定された一方と一体となって上記光軸方向へ駆動されるレンズ保持枠と、
上記第１及び上記第２ヨーク、上記磁石、上記コイル及び上記レンズ保持枠が格納された筒部材と、
を具備し、
上記第２ヨークは、上記Ｙ軸方向において上記第１平行部と上記筒部材との間に配置され、
上記光軸と垂直な断面において、上記第１ヨークの上記第１平行部の断面積と上記第２ヨークの断面積との和と、上記第２平行部の断面積とは等しい断面積を有していることを特徴とするレンズ鏡筒。
【請求項２】
上記磁石は、上記第１ヨークの第１平行部の上記光軸側に配置され、
上記コイルは、上記第１ヨークの第２平行部に巻回して配置されるとともに上記レンズ保持枠に固定され、
上記第２ヨークは、上記第１ヨークの第１平行部よりＸ軸方向の断面寸法が小さく多段状に配置されていることを特徴とする請求項１記載のレンズ鏡筒。
【請求項３】
上記磁石は、上記第１ヨークの第２平行部に配置され、
上記第２ヨークは、上記第１ヨークの第１平行部よりＸ軸方向の断面寸法が小さく多段状に配置され、
上記コイルは、上記第１ヨークの第１平行部及び上記第２ヨークを巻回するとともに上記筒部材に固定され、
上記磁石、上記第１ヨークと上記第２ヨーク及び上記レンズ保持枠は、上記コイルに対して光軸方向に移動することを特徴とする請求項１記載のレンズ鏡筒。
【請求項４】
上記光軸と垂直な断面において、上記第１ヨークの第１平行部及び上記第２ヨークは多段状で、それらは全体として台形状をしていることを特徴とする請求項２または３記載のレンズ鏡筒。
【請求項５】
上記第１ヨークは、上記第１平行部と上記第２平行部を上記光軸方向の一端で連結した連結部を有し、
上記第２ヨークは、上記連結部に沿って配置された延出部を有することを特徴とする請求項１記載のレンズ鏡筒。
【発明の詳細な説明】
【技術分野】
【０００１】
本発明は、例えば、ボイスコイルモータ（ＶＣＭ）によりレンズ保持枠を光軸方向に移動するレンズ鏡筒に関する。
【背景技術】
【０００２】
レンズ鏡筒は、レンズを保持したレンズ保持枠、レンズ保持枠を収容配置した円筒部材、およびレンズ保持枠を円筒部材の内側でレンズの光軸方向に移動するボイスコイルモータ（ＶＣＭ）を有する。ＶＣＭは、コイル、磁石、およびヨークを含む。コイルは、その空芯部が光軸と平行になる向きでレンズ保持枠に固定される。磁石は、コイルに対向して円筒部材に固定される。
【０００３】
そして、磁石の磁束がコイルを横切る状態でコイルに通電すると、電磁力によりコイルが光軸方向に付勢され、レンズ保持枠が円筒部材内で光軸方向に移動する。コイルに流す電流の向きを変えると、レンズ保持枠の移動方向が変わる。
【先行技術文献】
【特許文献】
【０００４】
【特許文献１】特開２０１１−７５６７４号公報
【発明の概要】
【発明が解決しようとする課題】
【０００５】
比較的径の大きいレンズを光軸方向に移動する場合、すなわちレンズ保持枠が大きくて重い場合、ＶＣＭの駆動力も大きくする必要がある。しかし、ＶＣＭの駆動力を大きくするため、単に磁石やヨークを大きくすると、その分、レンズ鏡筒が大型化してしまう。
【０００６】
本発明は、上記の点に鑑みてなされたもので、レンズ鏡筒を大型化することなく、ＶＣＭの駆動力を大きくすることができるレンズ鏡筒を提供することを目的とする。
【課題を解決するための手段】
【０００７】
本発明のレンズ鏡筒の一態様は、光軸方向の断面において光軸と平行な第１平行部と、第１平行部よりも光軸寄りに位置し第１平行部と平行で光軸と垂直な断面において光軸を原点とするＸＹ平面とした際にＸ軸方向の断面寸法が第１平行部よりも大きい第２平行部と、を有し、第１平行部と第２平行部とが磁気的に結合された第１ヨークと、ＸＹ平面のＹ軸方向において第１平行部に配置された第２ヨークと、第１ヨークの第１平行部または第２平行部の一方に配置された磁石と、第１ヨークの第１平行部または第２平行部の他方に配置されたコイルと、磁石またはコイルの一方に固定され、固定された一方と一体となって光軸方向へ駆動されるレンズ保持枠と、第１及び第２ヨーク、磁石、コイル及びレンズ保持枠が格納された筒部材と、を具備する。第２ヨークは、Ｙ軸方向において第１平行部と筒部材との間に配置され、光軸と垂直な断面において、第１ヨークの第１平行部の断面積と第２ヨークの断面積との和と、第２平行部の断面積とは等しい断面積を有している。
【発明の効果】
【０００８】
本発明のレンズ鏡筒によれば、レンズ鏡筒を大型化することなく、ＶＣＭの駆動力を大きくすることができる。
【図面の簡単な説明】
【０００９】
【図１】図１は、第１の実施形態に係る交換レンズを光軸に沿って切断した断面図である。
【図２】図２は、図１の交換レンズに組み込まれた組立体を斜め前方から見た斜視図である。
【図３】図３は、図１の交換レンズをＦ３−Ｆ３に沿って切断した断面図である。
【図４】図４は、第１の実施形態の効果を説明するための図である。
【図５】図５は、第１の実施形態の第１の変形例を示す部分断面図である。
【図６】図６は、第１の実施形態の第２の変形例を示す部分断面図である。
【図７】図７は、第２の実施形態に係る交換レンズを光軸に沿って切断した断面図である。
【図８】図８は、図７の交換レンズに組み込まれた組立体を斜め前方から見た斜視図である。
【図９】図９は、図７の交換レンズをＦ９−Ｆ９に沿って切断した断面図である。
【発明を実施するための形態】
【００１０】
以下、本発明を実施するための形態について図面を参照して説明する。
【００１１】
（第１の実施形態）
図１は、本発明のレンズ鏡筒の第１の実施形態である交換レンズ１００をその光軸Ｏを含む面で切断した断面図である。この交換レンズ１００は、例えば、ここでは図示しないデジタルカメラに着脱自在に取り付けられる。以下の説明では、光軸Ｏに沿った図示しない被写体側（図１で左側）を前方とし、図示しないカメラ本体側（図１で右側）を後方とする。
【００１２】
交換レンズ１００は、光軸Ｏに沿って前方に向けて僅かに外径が大きくなる略円筒形の外枠１を有する。外枠１の内側には、略円筒形の固定枠２（筒部材）が取り付けられている。固定枠２の前方には、複数枚のレンズ３ａ、３ｂ、３ｃが同軸に設けられている。固定枠２の内部には、可動レンズ４、６が光軸Ｏに沿って前後方向に移動可能に設けられている。固定枠２の後方には、レンズ７を光軸Ｏと直交する面に沿って移動するブレ補正機構８が設けられている。可動レンズ６とレンズ７の間にはレンズ３ｄが設けられている。ブレ補正機構８の後方には、結像レンズ９が設けられている。各レンズ３ａ、３ｂ、３ｃ、３ｄ、４、６、７、９は、光軸Ｏがその中心を通る姿勢で同軸に取り付けられている。
【００１３】
図２は、可動レンズ４、６を固定枠２（ここでは図示せず）に対して光軸Ｏ方向に移動可能に支持する支持機構１０、前方の可動レンズ４を駆動するアクチュエータ２０、および後方の可動レンズ６を駆動するアクチュエータ３０を組み合わせた組立体４０を斜め前方から見た斜視図である。図３は、図１のＦ３−Ｆ３で交換レンズ１００を光軸Ｏと直交する面に沿って切断した断面図である。図２の組立体４０は、固定枠２に組み込まれて外枠１内に取り付けられる。
【００１４】
支持機構１０は、前方の可動レンズ４を保持したレンズ保持枠１１を固定枠２に対して光軸Ｏ方向に移動可能に支持するとともに、後方の可動レンズ６を保持したレンズ保持枠１２を固定枠２に対して光軸Ｏ方向に移動可能に支持する。アクチュエータ２０は、支持機構１０によって支持された前方のレンズ保持枠１１を光軸Ｏに沿って前後方向に駆動する。アクチュエータ３０は、支持機構１０によって支持された後方のレンズ保持枠１２を光軸Ｏに沿って前後方向に駆動する。
【００１５】
レンズ保持枠１１、１２は、それぞれ、光軸Ｏと直交する面に沿う姿勢で、光軸Ｏ方向に並べて配置されている。各レンズ保持枠１１、１２の光軸Ｏに沿った可動範囲は、図示しないストッパー等により、両者が接触することのない範囲に制限されている。
【００１６】
支持機構１０は、２つのレンズ保持枠１１、１２を光軸Ｏ方向に移動可能に支持する４本のガイド軸１３、１４、１５、１６を有する。これら４本のガイド軸１３、１４、１５、１６は、光軸Ｏから離れたレンズ４、６の外側で、固定枠２の内面に近接して光軸Ｏと平行に延設され、それぞれ光軸方向の両端が固定枠２に固定されている。
【００１７】
２本のガイド軸１３、１５は、前方のレンズ保持枠１１に割り当てられており、可動レンズ４の径方向に離間して可動レンズ４を間に挟んで反対側に設けられている。２本のガイド軸１４、１６は、後方のレンズ保持枠１２に割り当てられており、可動レンズ６の径方向に離間して可動レンズ６を間に挟んで反対側に設けられている。つまり、ガイド軸１３、１５は、前方のレンズ保持枠１１を光軸方向に移動可能に支持する。また、ガイド軸１４、１６は、前方のレンズ保持枠１１とは別に、後方のレンズ保持枠１２を光軸方向に移動可能に支持する。
【００１８】
前方のレンズ保持枠１１は、ガイド軸１３に嵌合するＵ字状の嵌合溝１１ａ、およびガイド軸１５を挿通する貫通孔１１ｂを有する。後方のレンズ保持枠１２は、ガイド軸１４に嵌合するＵ字状の嵌合溝１２ａ、およびガイド軸１６を挿通する貫通孔１２ｂを有する。レンズ保持枠１１の貫通孔１１ｂは、嵌合溝１１ａに対して可動レンズ４の径方向に離間した反対側に設けられ、レンズ保持枠１２の貫通孔１２ｂは、嵌合溝１２ａに対して可動レンズ６の径方向に離間した反対側に設けられている。後方のレンズ保持枠１２は、ガイド軸１３、１５に干渉しない形状に形成されており、前方のレンズ保持枠１１は、ガイド軸１４、１６に干渉しない形状に形成されている。
【００１９】
前方の可動レンズ４を駆動するためのアクチュエータ２０は、可動レンズ４の径方向に離間対向した２組の駆動部２０ａ、２０ｂを有し、後方の可動レンズ６を駆動するためのアクチュエータ３０は、可動レンズ６の径方向に離間対向した２組の駆動部３０ａ、３０ｂを有する。アクチュエータ２０の一方の駆動部２０ａとアクチュエータ３０の一方の駆動部３０ａは、光軸方向に重なる位置に設けられている。アクチュエータ２０の他方の駆動部２０ｂとアクチュエータ３０の他方の駆動部３０ｂも、光軸方向に重なる位置に設けられている。
【００２０】
各アクチュエータ２０、３０の一方の駆動部２０ａ、３０ａは他方の駆動部２０ｂ、３０ｂと略同じ構造を有する。また、アクチュエータ２０の駆動部２０ａ、２０ｂとアクチュエータ３０の駆動部３０ａ、３０ｂも略同じ構造を有する。つまり、４つの駆動部２０ａ、２０ｂ、３０ａ、３０ｂは略同じ構造を有する。よって、ここでは一つの駆動部２０ａについて代表して説明し、他の駆動部２０ｂ、３０ａ、３０ｂについては同一符号を付してその詳細な説明を省略する。
【００２１】
図３に示すように、駆動部２０ａは、可動レンズ４を保持したレンズ保持枠１１に固設したコイル２１を有する。また、駆動部２０ａは、固定枠２に固定した第１ヨーク２２、および第１ヨーク２２に固定した磁石２４を有する。さらに、駆動部２０ａは、第１ヨーク２２の第１平行部２２ａに追加して設けた第２ヨーク２６を有する。
【００２２】
コイル２１は、可動レンズ４の径方向の外側でレンズ保持枠１１に固定されている。コイル２１は、互いに平行に離間対向した２つの長辺部２１ａと互いに平行に離間対向した２つの短辺部２１ｂを有する。コイル２１は、長辺部２１ａと短辺部２１ｂが配置された面が光軸Ｏと垂直になる姿勢（すなわちコイル２１の空芯部が光軸Ｏと平行になる姿勢）でレンズ保持枠１１に固設される。また、コイル２１は、可動レンズ４の径方向と一対の長辺部２１ａが直交する姿勢でレンズ保持枠１１に固定されている。
【００２３】
第１ヨーク２２は、コイル２１と固定枠２の間に配置した第１平行部２２ａ、および第１平行部２２ａより光軸Ｏ寄りでコイル２１の空芯部を通してコイル２１に対して非接触状態で配置した第２平行部２２ｂを有する。また、第１ヨーク２２は、第１平行部２２ａの前方の端部と第２平行部２２ｂの前方の端部をなだらかにつないだ連結部２２ｃを有する。すなわち、第１ヨーク２２は、図１に示すように、光軸Ｏを含む面で切断した断面が略Ｕ字形となる形状を有する。
【００２４】
第１および第２平行部２２ａ、２２ｂは、矩形の平らな板状に形成され、光軸Ｏに沿った可動レンズ４の可動範囲に応じた長さを有する。第１および第２平行部２２ａ、２２ｂは、可動レンズ４の径方向と直交する姿勢で光軸Ｏと平行に配置される。コイル２１の空芯部を通った第２平行部２２ｂの光軸Ｏと直交する方向の幅は、第１平行部２２ａの幅より広い。言い換えると、光軸Ｏと垂直な断面において光軸Ｏを原点とするＸＹ平面とした際に、第２平行部２２ｂのＸ軸方向の断面寸法が第１平行部２２ａより大きい。
【００２５】
第１ヨーク２２の連結部２２ｃは、図２に示すように、幅の異なる第１平行部２２ａと第２平行部２２ｂの端部同士をつなぐため、幅方向の両端に段部２２ｃ−３を有する。言い換えると、連結部２２ｃは、第１平行部２２ａの幅と同じ幅の幅狭部分２２ｃ−１と第２平行部２２ｂと同じ幅の幅広部分２２ｃ−２を段部２２ｃ−３を介して一体につなげた構造を有する。
【００２６】
連結部２２ｃの形状は、その周辺部材の形状、大きさ、レイアウトなどに応じて選択可能であり、必ずしも第１平行部２２ａの前方の端部と第２平行部２２ｂの前方の端部をなだらかにつなぐ必要はない。例えば、連結部２２ｃは、断面コ字形であってもよく、第１平行部２２ａの前方の端部と第２平行部２２ｂの前方の端部を直角につないでもよい。
【００２７】
第１ヨーク２２の開放端側、すなわち第１および第２平行部２２ａ、２２ｂの連結部２２ｃから離間した後方の端部には、図示しない端板部が設けられている。端板部は、第１平行部２２ａの後端と第２平行部２２ｂの後端を磁気的に連結する。端板部は、必須の構成ではなく、必ずしも設ける必要はない。
【００２８】
磁石２４は、第１ヨーク２２の第１平行部２２ａの第２平行部２２ｂ側の内面に接着固定される。磁石２４は、光軸Ｏに沿って、第１平行部２２ａと略同じ長さを有するとともに、その全長にわたって第１平行部２２ａと略同じ幅を有する。磁石２４は、光軸Ｏと平行に延設されており、その表面が可動レンズ４の径方向と直交する姿勢で第１平行部２２ａに取り付けられている。
【００２９】
第２ヨーク２６は、第１ヨーク２２の第１平行部２２ａの固定枠２側の外面に取り付けられている。言い換えると、第２ヨーク２６は、上述したＸＹ平面のＹ軸方向において第１平行部２２ａと固定枠２の間で第１平行部２２ａに配置されている。第２ヨーク２６は、光軸Ｏ方向に沿って第１平行部２２ａと略同じ長さを有し、第１平行部２２ａよりＸ軸方向の断面寸法が小さく（幅が狭く）多段状に配置されている。つまり、多段状の第１ヨーク２２の第１平行部２２ａおよび第２ヨーク２６は、全体として台形状をしている。
【００３０】
第２ヨーク２６は、第１平行部２２ａの幅方向の中央に対向して、光軸Ｏと平行に設けられている。第２ヨーク２６の光軸Ｏ方向の先端は、第１平行部２２ａの幅狭部分２２ｃ−１の外面に沿って光軸Ｏに近付く方向に湾曲している。この湾曲した先端は、第２ヨーク２６の延出部２６ａとして機能し、少なくとも第２平行部２２ｂの幅広部分２２ｃ−２まで延びている。
【００３１】
本実施形態では、第２ヨーク２６の光軸Ｏと直交する面における断面積は、第１ヨーク２２の第１平行部２２ａの同じ面における断面積との和が、第２平行部２２ｂの同じ面における断面積と略同じ断面積になるように設定されている。実際には、第１、第２ヨーク２２、２６の材質や組立誤差などにより、第２ヨーク２６の断面積と第１平行部２２ａの断面積との和が第２平行部２２ｂの断面積と完全には等しくならない。
【００３２】
第１および第２ヨーク２２、２６は、平らな同じ板厚の板状部材から形成されるため、第１ヨーク２２の第１、第２平行部２２ａ、２２ｂの断面積、および第２ヨーク２６の断面積は、それぞれの幅によって決まる。つまり、第１ヨーク２２の第１、第２平行部２２ａ、２２ｂ、および第２ヨーク２６を同じ板厚で形成した場合、第２ヨーク２６の幅は、第１平行部２２ａの幅との和が第２平行部２２ｂの幅と等しくなる。
【００３３】
第２ヨーク２６の延出部２６ａも同様に、延出部２６ａの延出方向と交差する面における断面積は、第１ヨーク２２の第１平行部２２ａの幅狭部分２２ｃ−１の同じ面における断面積との和が、第２平行部２２ｂの幅広部分２２ｃ−２の断面積と略同じ断面積になるように設定されている。つまり、第２ヨーク２６の延出部２６ａの幅は、第１ヨーク２２の第１平行部２２ａの幅と第２平行部２２ｂの幅との差分に等しい。言い換えると、第２ヨーク２６は、延出部２６ａを含めたその全長にわたって、その断面積が、幅広部分２２ｃ−２を含む第２平行部２２ｂの断面積と幅狭部分２２ｃ−１を含む第１平行部２２ａの断面積との差分に等しくなる。
【００３４】
ところで、レンズ保持枠１１を２本のガイド軸１３、１５に取り付けた状態で、第１ヨーク２２の第２平行部２２ｂをコイル２１の空芯部に挿通して、第１ヨーク２２を固定枠２に固定すると、コイル２１と第２平行部２２ｂ（すなわち第１ヨーク２２）が非接触状態となり、コイル２１と磁石２４が非接触状態となる。このため、コイル２１は、その周りの部材に接触しないで光軸Ｏ方向に移動可能となる。
【００３５】
この状態で、図示しない駆動回路からコイル２１に電流を流すと、コイル２１の周りに電流の方向に応じた向きの電界が発生する。一方、コイル２１には、磁石２４からの磁束が通るため、電磁誘導によってコイル２１に電磁力が作用し、レンズ保持枠１１が光軸Ｏ方向の一端側に移動される。コイル２１に通電する電流の向きを変えると、レンズ保持枠１１が光軸Ｏ方向の他端側に移動される。
【００３６】
以下、上述した第１の実施形態の効果について、図４を参照して説明する。  
図４（ａ）は、第２ヨーク２６を持たない駆動部１２０を示す概略図である。図４（ｂ）は、上述した第１の実施形態の駆動部２０ａを示す概略図である。
【００３７】
図４（ａ）の駆動部１２０によると、円筒状の固定枠２と可動レンズ４の間の湾曲した空間内に平らな板状部材２２ａ、２２ｂを径方向に重ねて配置する必要があるため、光軸Ｏから離れるにつれて（固定枠２に近付くにつれて）各板状部材の周方向の幅を狭くする必要がある。仮に、駆動部１２０において、第１ヨーク２２の第１平行部２２ａの幅をコイル２１を巻回した第１ヨーク２２の第２平行部２２ｂと同じ幅に形成すると、第１平行部２２ａの幅方向の両端が固定枠２に干渉してしまう。このため、図４（ａ）の駆動部１２０では、第１平行部２２ａの幅を第２平行部２２ｂの幅より狭くせざるを得ず、その分、駆動効率が低下してしまう。
【００３８】
これに対し、図４（ｂ）に示す第１の実施形態の駆動部２０ａは、第１平行部２２ａの幅を同様に狭くした分、第２ヨーク２６を設けることで、駆動効率の低下を抑えるようにしている。具体的には、第１平行部２２ａの断面積と第２ヨーク２６の断面積の和が第２平行部２２ｂの断面積と等しくなるように、所定の幅を有する第２ヨーク２６を第１平行部２２ａの外面に設けた。この場合、第２ヨーク２６の幅が第１平行部２２ａよりさらに狭く、第１平行部２２ａと固定枠２との間の空間に配置可能であることから、第２ヨーク２６を設けない駆動部１２０と比較して、可動レンズ４の径（Ｒ１）を小さくしたり、固定枠２の内径（Ｒ２）を大きくしたりする必要がなく、装置構成が大型化する心配もない。
【００３９】
駆動部２０ａにおける駆動力は、コイル２１を通る磁束密度によって決まる。つまり、第２ヨーク２６を追加することにより、第１ヨーク２２および第２ヨーク２６を併せた磁気回路中の磁束密度が高くなり、その結果、コイル２１を通る磁束密度が高くなり、駆動部２０ａにおける駆動力を大きくすることができる。
【００４０】
駆動部２０ａにおける駆動効率を高めるためには、磁石２４の両側でヨーク中の磁束密度を略同一にすることが望ましく、第２ヨーク２６を追加し、磁石２４の両側で磁路断面積を同じにすることで、駆動効率を高めるのに有効となる。
【００４１】
以上のように、第１の実施形態によると、第１ヨーク２２の第１平行部２２ａと固定枠２との間に第２ヨーク２６を追加することで、駆動部２０ａを大型化することなく、駆動部２０ａにおける駆動効率を高めることができ、駆動力を大きくすることができる。このため、第１の実施形態によると、可動レンズ４の径が大きくなって質量が増大した場合であっても、交換レンズ１００の径の増加を抑えてＶＣＭの駆動力を大きくすることができる。
【００４２】
なお、上述した第１の実施形態では、第１ヨーク２２の第１平行部２２ａの幅を第２平行部２２ｂの幅より狭くして、磁石２４の幅を第１平行部２２ａの幅と同じにして、第２ヨーク２６の幅を第１平行部２２ａの幅より狭くしたが、これに限らず、磁石２４の両側でヨークのパーミアンスが概ね同じ値になればヨークや磁石の幅は種々変更可能である。例えば、第２ヨーク２６の幅は、第１平行部２２ａの幅以下であればよく、第１平行部２２ａの幅と同じ幅であってもよい。
【００４３】
また、磁石２４の幅は、上述した第１の実施形態に限らず、例えば、第１ヨーク２２の第２平行部２２ｂの幅と同等かそれ以上であってもよく、第２ヨーク２６の幅と同じかそれ以下であってもよい。ただし、磁気回路出力の最大化、および漏れ磁束の最小化のためには、磁石２４の幅は、第１ヨーク２２の第２平行部２２ｂの幅と同じ幅であることが望ましい。
【００４４】
さらに、上述した第１の実施形態では第２ヨーク２６を１枚の板状の磁性部材により形成したが、これに限らず、複数枚の板状の磁性部材を重ねて設けてもよい。また、第１ヨーク２２の第１、第２平行部２２ａ、２２ｂ、および第２ヨーク２６の板厚は、駆動部２０ａの質量や必要な磁気回路の出力によるが、概ね２〜３ｍｍ程度である。
【００４５】
（第１の変形例）
第２ヨーク２６の断面形状は、上述した第１の実施形態のような矩形に限らず、図５に示すように、第１ヨーク２２の第１平行部２２ａと固定枠２との間の空間を埋めるような形状であってもよい。
【００４６】
（第２の変形例）
或いは、第２ヨーク２６は、図６に示すように、第１平行部２２ａとの間に隙間Ｓを介して対向配置して固定枠２に固定してもよい。この場合、第１平行部２２ａと第２ヨーク２６との間の磁気的な結合状態が弱まるため、隙間Ｓの大きさは１ｍｍ程度にとどめることが望ましい。
【００４７】
（第２の実施形態）
図７は、第２の実施形態に係る交換レンズ２００の断面図であり、図８は、交換レンズ２００に組み込まれた組立体２４０を示す斜視図であり、図９は、図７の交換レンズ２００のＦ９−Ｆ９に沿った断面図である。
【００４８】
第２の実施形態の交換レンズ２００は、固定枠２側にコイル２２１を配置して、レンズ保持枠１１に第１ヨーク２２２、磁石２４、および第２ヨーク２２６を配置した以外、上述した第１の実施形態と同様の構造を有する。よって、ここでは、第１の実施形態と同様に機能する構成要素に同一符号を付してその詳細な説明を省略する。また、ここでも、駆動部２２０ａについて代表して説明し、同じ構造の駆動部２２０ｂ、２３０ａ、２３０ｂについての説明を省略する。
【００４９】
第１ヨーク２２２（第１平行部２２２ａ、第２平行部２２２ｂ、および連結部２２２ｃ）、磁石２２４、および第２ヨーク２２６は、上述した第１の実施形態の第１ヨーク２２、磁石２４、および第２ヨーク２６と同じ構造を有する。
【００５０】
磁石２２４は、第１ヨーク２２２の第２平行部２２２ｂの第１平行部２２２ａ側の内面に設けられている。すなわち、本実施形態では、磁石２２４の幅は、第１ヨーク２２２の第１平行部２２２ａの幅と略同じ幅である。
【００５１】
第２ヨーク２２６は、第１ヨーク２２２の第１平行部２２２ａよりＸ軸方向の断面寸法（幅）が小さく多段状に配置されている。
【００５２】
コイル２２１は、第１ヨーク２２２の第１平行部２２２ａおよび第２ヨーク２２６に巻回されて固定枠２に固定され、光軸Ｏと垂直な断面において、全体として台形状をしている。
【００５３】
第２の実施形態の交換レンズ２００においても、上述した第１の実施形態と同様の効果を奏することができる。つまり、第１ヨーク２２２の第２平行部２２２ｂの径方向の外側に配置した第１平行部２２２ａの幅を狭くして、第１平行部２２２ａと固定枠２との間で第１平行部２２２ａの外面に第２ヨーク２２６を設けたため、磁石２２４の両側でヨークのパーミアンスを概ね同じにすることができる。これにより、駆動部２２０ａのサイズを大きくすることなく、ＶＣＭの駆動効率を高めることができ、比較的大きな質量の可動レンズ４を移動させることができる。
【００５４】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００５５】
１…外枠、  ２…固定枠、  ４、６…可動レンズ、  １０…支持機構、  １１、１２…レンズ保持枠、  １３、１４、１５、１６…ガイド軸、  ２０、３０…アクチュエータ、  ２０ａ、２０ｂ、３０ａ、３０ｂ、２２０ａ…駆動部、  ２１、２２１…コイル、  ２１ａ…長辺部、  ２１ｂ…短辺部、  ２２、２２２…第１ヨーク、  ２２ａ、２２２ａ…第１平行部、  ２２ｂ、２２２ｂ…第２平行部、  ２２ｃ…連結部、  ２４、２２４…磁石、  ２６、２２６…第２ヨーク、  ２６ａ…延出部、  ４０、２４０…組立体、  １００…交換レンズ、  Ｏ…光軸、  Ｓ…隙間。
【図１】
2019086629.tif 000003
【図２】
2019086629.tif 000004
【図３】
2019086629.tif 000005
【図４】
2019086629.tif 000006
【図５】
2019086629.tif 000007
【図６】
2019086629.tif 000008
【図７】
2019086629.tif 000009
【図８】
2019086629.tif 000010
【図９】
2019086629.tif 000011